(57)【特許請求の範囲】
【請求項１】
回転し得るシリンダーに摺動自在に嵌合するピストン本体の後端部をリング状パッキンが嵌合し得るように若干小径に形成し、前記リング状パッキンは、断面コ字状の金属製リングにＯ−リングを嵌合させてなり、コ字状の開口が前方を向くように嵌合し、嵌合させた該リング状パッキン後方からリング状パッキン押え部を有するピストンロッドを、前記ピストン本体後端面に形成したネジ穴に螺合させて、前記リング状パッキン押え部でリング状パッキンを押圧し、該押圧により金属製リングをピストン外周より若干突出させることを特徴とするピストン。
【請求項２】
前記ピストンロッド後端には、エンジン駆動系に接続されるピストンキャップ２６が装着されている請求項１に記載のピストン。
【発明の詳細な説明】
【技術分野】
【０００１】
この発明は、具入りスープ類を、缶詰め若しくは真空パックの袋に充填したり、一定量ずつに小分けする小分け・充填装置に使用するピストンに関する。
【発明の概要】
【０００２】
液体中に肉類や野菜類が混入しているカレー、ミネソタローネ、豚汁、シチュー等の具入りスープ類を、缶に充填して缶詰としたり、真空パックの袋に充填するのに、従来は、具を充填する工程とスープを充填する工程の二工程で行われていた。そのため、作業能率が上がらない問題があった。
【０００３】
このような問題点を解決するため、本出願人は、具とスープ液とを一緒に小分け充填できる流動物の小分け充填装置を開発し、先に特許出願したが、このものは既に特許されている（例えば特許文献１参照）。
【０００４】
【特許文献１】特許第３２６７９６４号明細書
【０００５】
上記従来の定量弁方式は、シリンダー本体の上部より具とスープとを取り込んで、シリンダーの内径に組み込まれた内筒（ロータリー弁）で切り出しをして、１８０°回転させて、取り込んだ開口部をシリンダー下部の開口部と合わせた後、取り込んだ具入りスープをピストンで押出すことによって、一杯分のスープを容器に取り出すものである。
【０００６】
ロータリー弁の内径に組み込まれたピストンを、前進端からある一定の位置まで引くことによって円筒状の体積の空間ができるが、その空間に引き込んだスープは、一定容量とすることができる。ピストンを引く量が常に一定であれば、その円筒状の空間は、全て一定の体積になるからである。
【発明が解決しようとする課題】
【０００７】
上記装置は、具入りスープ類を容易に一定容積に小分けできることから極めて高い評価を受けているが、問題点として、シリンダー本体の内径に組み込まれたロータリー弁（内筒）の嵌合の問題があることが判明した。
【０００８】
即ち、嵌合が緩ければ心出しができないことと、嵌合部の円周を伝わって液漏れが発生し、嵌合がカタければ、ロータリー弁を回転させるのに大きなトルクが必要になり、時にはカジリを起こす原因になる。特に困るのは、一日の作業が完了し、分解洗浄するのにロータリー弁を抜くのが困難になることである。このようなカジリを無くすためには、ステンレス表面をコーティングしなければならないが、これがコスト高の原因となっている。
【０００９】
そればかりか、スープを昇温させる際に発生する熱伝導によっては、熱膨張が起こり、嵌合条件が変わるので非常に厄介な問題が生じる。即ち、オペレータの使い勝手が悪くなるのである。
【００１０】
オペレータの使い勝手を良くするには、嵌合はできるだけゆるく、熱膨張が発生してもゆるさは変わらないことが条件になってくる。しかしながら、嵌合がゆるければ、心出しができないほか、スープ液は円周上を伝わって下に回って下部の開口部から液漏れが生じる問題がある。
【００１１】
また、従来の一般的ピストンのシールには、Ｏ−リングが使用されているが、Ｏ−リング使用で軸方向のシールは確実にできるが、押出し及び引込みの駆動トルクが１５Ｗ容量のモーターが必要であった。そのため電気エネルギーを必要とする問題があった。そればかりか、伸びるパッキンでないとピストンの溝に嵌め込めないので、割りリングを使用しなければならなかった。
【００１２】
この発明は、嵌合を緩くしても嵌合部からスープ液が漏れ難く且つ押出し及び引込みの駆動トルクを小さくすると共にパッキンを割りリングとしなくとも容易に嵌合し得るピストンを提供することを目的とする。
【課題を解決するための手段】
【００１３】
上記目的に沿う本発明のうち請求項１に記載の発明は、回転し得るシリンダーに摺動自在に嵌合するピストン本体の後端部をリング状パッキンが嵌合し得るように若干小径に形成し、前記リング状パッキンは、断面コ字状の金属製リングにＯ−リングを嵌合させてなり、コ字状の開口が前方を向くように嵌合し、嵌合させた該リング状パッキン後方からリング状パッキン押え部を有するピストンロッドを、前記ピストン本体後端面に形成したネジ穴に螺合させて、前記リング状パッキン押え部でリング状パッキンを押圧し、該押圧により金属製リングをピストン外周より若干突出させることを特徴とする（請求項１）。
【００１４】
前記ピストンロッド後端には、エンジン駆動系に接続されるピストンキャップを装着するのが良い（請求項３）。
【発明の効果】
【００１５】
本発明によれば、嵌合部からスープ液が漏れ難く且つ押出し及び引込みの駆動トルクを小さくすると共にパッキンを割りリングとしなくとも容易に嵌合し得る利点が得られる。
【図面の簡単な説明】
【００１６】
【図１】本発明のピストンを備えた小分け装置の分解断面図である。
【図２】図１を組立てた状態の断面図である。
【図３】本発明のピストンの分解斜視図である。
【図４】本発明ピストンに使用するパッキンの断面図である（図ではＯ−リングはコ字部に嵌合させてない状態を示している。）。
【符号の説明】
【００１７】
１  定量切出弁本体
２  吸引口
３  定量切出弁本体先端開口
４  フロントキャップ
７  内筒（ロータリー弁）
８  ピストン本体
１０  吐出口
１１  貫通口（開口）
１４  円筒状テフロン（登録商標）シール
１６  吐出ノズル
２０  ピストンシャフト（ピストンロッド）
２２  リング状パッキン
２３  リング状シール押え具
２４  断面コ字状の金属製リング
２５  コ字部に嵌合させるＯ−リング
【発明を実施するための形態】
【００１８】
次に、本発明の実施の形態を図面に基づいて説明する。
【００１９】
定量切出弁本体１の先端開口３には、フロントキャップ（蓋体）４が嵌合固定されている。フロントキャップ４には、開口３に密嵌する若干小径の円板状部５と更に小径の内筒蓋体となる小径円板状部６が連設され、同小径円板状部６と切出弁本体１内壁とでリング状嵌合凹部を形成している。
【００２０】
定量切出弁本体１に回動自在に嵌合されている内筒（ロータリー弁）７の先端が、前記リング状嵌合凹部に回動自在に嵌合している（小径円板状部６が内筒前面開口に嵌合している）。リング状嵌合凹部は、軸受けの役割をするものであり、このようにすることによって心出しができるので、ステンレス製の定量切出弁本体１と内筒７とのカジリを防止できる。内筒７内には、ピストン本体８が摺動自在に嵌合されている。尚、図中９はＯ−リングであり、内筒７の先端が当接し内筒と定量切出弁本体１間のスープ液が漏れないようになっている。
【００２１】
内筒７には、貫通孔（開口）１１が形成され、同貫通孔１１が前記定量切出弁本体１の吸引孔２と連通すると、前記ピストン本体８は後退して内筒７内に所定量の具入りスープ類を充填し、前記内筒７の貫通孔１１が前記定量切出弁本体１の吐出口１０と連通すると、前記ピストン本体８は前進して、連通した吐出口から具入りスープ類を吐出するようになっている。
【００２２】
内筒後部は、Ｏ−リング溝にＯ−リング１２が嵌合され、内筒７と定量切出弁本体１とのシール性を高めている。従って、この部分からのスープ液の漏れも防止されている。
【００２３】
定量切出弁本体１の吐出口１０には、先端が前記内筒（ロータリー弁）７に密接し得る曲面１３に形成された円筒状テフロン（登録商標）シール１４を装着し、同テフロン（登録商標）シール１４後端のフランジ１５を吐出ノズル１６の先端フランジ１８で押圧してテフロン（登録商標）シール１４先端を内筒７に密接させているので、吐出口１０廻りからのスープ液の漏れを効果的に防止している。テフロン（登録商標）シールのフランジ１５は、外筒に形成された外周ネジ部の短筒体１７に嵌合し、吐出ノズル１６の先端フランジ１８を短筒体１７に螺合させて、テフロン（登録商標）シール１４を押圧している。尚、テフロン（登録商標）シール１４の開口は、シリンダーの貫通孔１１よりも大きくなっている。
【００２４】
ピストン本体８後端面には、ネジ穴１９が形成され、同ネジ穴１９にピストンシャフト２０先端ネジ部２１が螺合するようになっている。
【００２５】
ピストン本体８後端部は、若干小径に形成され、同小径部にリング状パッキン２２が嵌合され、リング状パッキン２２を後方からピストンシャフト２０に設けられたリング状シール押え具２３で押圧することにより、リング状パッキン２２先端を押圧保持している。
【００２６】
リング状パッキン２２は、図４に示すように断面コ字状の金属製リング２４のコ字部に、Ｏ−リング２５を嵌合させることによって形成し、コ字部の開口が前方を向き、押さえ部で押圧することにより、若干ピストン本体から出るようになっている。従って、断面コ字状の金属製リング２４は、常に広がる方向に付勢されているので、押すときは液体の漏れを効果的に防止し、引く時は若干の突出部が倒れてスムーズに後進するようになっている。
【００２７】
ピストンロッド後端には、エンジン駆動系に接続されるピストンキャップ２６が螺合装着されている。
【００２８】
上記実施例によれば、筒状パッキンで常時内筒を押圧しているので、内筒と定量切出弁本体との嵌合を若干緩くしても、液体が内筒の円周上を伝わって液漏れが生じることを効果的に防止することができる。
【００２９】
また、上記実施例によれば、内筒は定量切出弁本体前蓋裏面に回動し得るように嵌合しているので、心出しができるから、嵌合を若干緩くすることができる。
【００３０】
また本発明のピストンは、２つに分離できるので、割りリングを使用しなくともパッキンをピストン溝に嵌め込むことができる。また、Ｏ−リングを内装した断面コ字形の金属製リングを使用しているので、確実にシールし且つ駆動トルクを小さくすることができる。
【図１】
0004861454.tif 000002
【図２】
0004861454.tif 000003
【図３】
0004861454.tif 000004
【図４】
0004861454.tif 000005